(57)【要約】      （修正有）【課題】主脚材の上部の転びに起因する位置ずれを抑制し、基礎杭へ主脚材を据え付ける際の位置決め精度を更に高めることが可能な主脚材据付方法および主脚材据付治具を提供する。【解決手段】主脚材据付方法の構成は、鉄塔の主脚材４０の据付方法であって、地中に基礎杭を設置し、基礎杭の上に定着部のコンクリート打設用の型枠３０を設置し、主脚材４０の下部を基礎杭に支持させ、型枠３０の上縁に治具１００（主脚材据付治具）を設置し、主脚材４０の上部を治具１００で位置決めし、型枠３０内にコンクリート（定着用コンクリート）を打設して定着部を形成することを特徴とする。【選択図】図４
2019090266.tif 000002
【特許請求の範囲】
【請求項１】
鉄塔の主脚材の据付方法であって、
地中に基礎杭を設置し、
前記基礎杭の上に定着部のコンクリート打設用の型枠を設置し、
前記主脚材の下部を前記基礎杭に支持させ、
前記型枠の上縁に主脚材据付治具を設置し、
前記主脚材の上部を前記主脚材据付治具で位置決めし、
前記型枠内にコンクリートを打設して前記定着部を形成することを特徴とする主脚材据付方法。
【請求項２】
鉄塔の基礎杭の上に配置された型枠に取り付けられて該鉄塔の主脚材を支持する主脚材据付治具であって、
前記型枠の上端に渡される梁と、
前記梁の中央部に接続され前記主脚材に当接する支持部と、
を備えることを特徴とする主脚材据付治具。
【請求項３】
前記支持部は、プレート状であって前記主脚材が貫通する貫通孔を有することを特徴とする請求項２に記載の主脚材据付治具。
【請求項４】
前記支持部は、前記梁に固定される第１プレート、および該梁に位置調節可能に固定される第２プレートを有し、
前記第１プレートおよび前記第２プレートの隙間を前記主脚材が貫通することを特徴とする請求項２に記載の主脚材据付治具。
【請求項５】
前記梁に固定され前記主脚材の転びを調整する調整ボルトを更に備えることを特徴とする請求項２から４のいずれか１項に記載の主脚材据付治具。
【発明の詳細な説明】
【技術分野】
【０００１】
本発明は、鉄塔の脚部を構成する主脚材を基礎杭に据え付ける主脚材据付方法、およびかかる主脚材を支持する主脚材据付治具に関する。
【背景技術】
【０００２】
一般に、山岳地に立地する送電鉄塔等の巨大な構造物（以下、単に鉄塔と称する）の脚部は深礎基礎等の基礎杭に支持される（例えば特許文献１）。特許文献１では、地中に掘削した掘削孔の壁面に支保工を設置し、支保工に梁材を支持させる。そして、梁材に据付ブロックを配置し、据付ブロックによって主脚材の下端を位置決めする。これにより、梁材に対する主脚材の位置を容易に調整することができ、主脚材の位置決め時の作業効率を高めることが可能となる。
【先行技術文献】
【特許文献】
【０００３】
【特許文献１】特開２０１７−９６０５２号公報
【発明の概要】
【発明が解決しようとする課題】
【０００４】
ここで一般に、鉄塔は、４本の脚部を四角の四隅に配置し、それらを鉄塔頂部において連結した形状である。このため、脚部を構成する主脚材は、上方に向かうにしたがって鉄塔の中心に向かって傾斜した姿勢となる。主脚材は重量が大きいため、傾斜した姿勢であると上部が内側に向かうように傾く、いわゆる転びが生じて位置ずれが生じることがある。しかしながら、特許文献１の据付方法では、主脚材の転びひいてはそれに起因する上部の位置ずれを抑制することは難しい。したがって、特許文献１の据付方法は、従来技術よりも位置決めの精度を高められるものの、更なる改善の余地がある。
【０００５】
本発明は、このような課題に鑑み、主脚材の上部の転びに起因する位置ずれを抑制し、基礎杭へ主脚材を据え付ける際の位置決め精度を更に高めることが可能な主脚材据付方法および主脚材据付治具を提供することを目的としている。
【課題を解決するための手段】
【０００６】
上記課題を解決するために、本発明にかかる主脚材据付方法の代表的な構成は、鉄塔の主脚材の据付方法であって、地中に基礎杭を設置し、基礎杭の上に定着部のコンクリート打設用の型枠を設置し、主脚材の下部を基礎杭に支持させ、型枠の上縁に主脚材据付治具を設置し、主脚材の上部を主脚材据付治具で位置決めし、型枠内にコンクリートを打設して定着部を形成することを特徴とする。
【０００７】
上記構成によれば、主脚材は、下部が基礎杭に支持され、上部が主脚材据付治具によって位置決めされる。これにより、主脚材の上部が位置調整された状態で主脚材据付治具に固定されるため、主脚材の上部の位置ずれを好適に防ぐことができる。したがって、転びに起因する主脚材の上部の位置ずれが抑制され、基礎杭へ主脚材を据え付ける際の位置決め精度を更に高めることが可能となる。
【０００８】
上記課題を解決するために、本発明にかかる主脚材据付治具の代表的な構成は、鉄塔の基礎杭の上に配置された型枠に取り付けられて鉄塔の主脚材を支持する主脚材据付治具であって、型枠の上端に渡される梁と、梁の中央部に接続され主脚材に当接する支持部と、を備えることを特徴とする。これにより、梁によって主脚材据付治具を型枠の上端に設置しつつ、支持部によって主脚材を好適に支持することが可能となる。
【０００９】
上記支持部は、プレート状であって主脚材が貫通する貫通孔を有するとよい。かかる構成によれば、貫通孔に貫通させることにより主脚材を主脚材据付治具に容易に取り付けることができる。
【００１０】
上記支持部は、梁に固定される第１プレート、および梁に位置調節可能に固定される第２プレートを有し、第１プレートおよび第２プレートの隙間を主脚材が貫通するとよい。これにより、第２プレートを第１プレートから離間した状態でそれらの隙間に主脚材を貫通させ、第２プレートを第１プレート側に移動させることにより、主脚材を主脚材据付治具に容易に取り付けることが可能となる。
【００１１】
当該主脚材据付治具は、梁に固定され主脚材の転びを調整する調整ボルトを更に備えるとよい。これにより、主脚材を基礎杭に据え付ける際の位置精度をより高めることが可能となる。
【発明の効果】
【００１２】
本発明によれば、主脚材の上部の転びに起因する位置ずれを抑制し、基礎杭へ主脚材を据え付ける際の位置決め精度を更に高めることが可能な主脚材据付方法および主脚材据付治具を提供することができる。
【図面の簡単な説明】
【００１３】
【図１】本実施形態にかかる主脚材据付方法を説明する図である。
【図２】本実施形態にかかる主脚材据付方法を説明する図である。
【図３】本実施形態にかかる主脚材据付方法を説明する図である。
【図４】図３（ａ）の斜視図である。
【図５】図４に示す据付ブロックの全体斜視図である。
【図６】図４に示す治具の全体斜視図である。
【図７】型枠への治具の固定方法の他の例を説明する図である。
【図８】治具の他の例を説明する図である。
【発明を実施するための形態】
【００１４】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１５】
図１〜図３は、本実施形態にかかる主脚材据付方法を説明する図である。図４は、図３（ａ）の斜視図であり、本実施形態にかかる主脚材据付治具を説明する図である。図４では、本実施形態の主脚材据付治具（以下、単に治具１００と称する）および据付ブロック２００を設置した主脚材４０を斜め上方から観察した状態を図示している。
【００１６】
本実施形態の主脚材据付方法（以下、単に据付方法と称する）では、図１（ａ）に示すように、まず地中を掘削することにより掘削孔１０を形成し、かかる掘削孔１０の内部に躯体鉄筋１４を組み立てる。
【００１７】
次に、図１（ｂ）に示すように掘削孔１０に躯体コンクリート１６（ハッチングにて図示）を打設することにより、掘削孔１０の内部すなわち地中に基礎杭１８が形成される。地中に基礎杭１８を設置したら、図１（ｃ）に示すように、躯体鉄筋１４の内側に据付ブロック２００を配置し、均しコンクリート２０（ハッチングにて図示）を打設する。なお、据付ブロック２００については後に詳述する。
【００１８】
据付ブロック２００を配置したら、図２（ａ）に示すように、躯体鉄筋１４の周囲にフープ筋１２を巻き付け、後述する定着部７０のコンクリート打設用の型枠３０を均しコンクリート２０ひいては基礎杭１８の上方に配置する。そして、図２（ｂ）に示すように、主脚材４０の下部（下端）を基礎杭１８上の据付ブロック２００に支持させ、型枠３０の上縁に治具１００を設置する。これにより、主脚材４０は、下部が据付ブロック２００に支持され、上部（上寄りの中途部）が治具１００に支持される。
【００１９】
図５は、図４に示す据付ブロック２００の全体斜視図である。なお、理解を容易にするために、図５では主脚材４０を仮想線にて図示している。本実施形態の据付方法では、基礎杭１８の幅方向の中央に、主脚材４０の下端を支持する据付ブロック２００を配置する。
【００２０】
詳細には、図５に示すように、据付ブロック２００は、板状の据付架台２１０を含んで構成される。据付架台２１０の上面には、Ｌ字状の固定ボルト保持部２２２ａ・２２２ｂ・２２２ｃが設けられている。固定ボルト保持部２２２ａ〜２２２ｃはそれぞれ、主脚材４０を固定する主脚材固定ボルト２２０ａ・２２０ｂ・２２０ｃを、据付架台２１０の上面と平行に進退する姿勢で保持する。これにより、主脚材固定ボルト２２０ａ〜２２０ｃによって主脚材４０を挟みこむことで、据付架台２１０に対して主脚材４０が固定される。
【００２１】
また図５に示すように、据付架台２１０には、穴２６０ａ・２６０ｂ・２６０ｃ・２６０ｄが形成されている。この穴２６０ａ〜２６０ｄには、据付架台２１０を支持する複数本（本実施形態では４本を例示）のネジ式の支柱２３０ａ・２３０ｂ・２３０ｃ・２３０ｄがそれぞれ挿通される。これらの支柱２３０ａ〜２３０ｄの下端は、躯体コンクリート１６ひいては基礎杭１８（図１（ｂ）および（ｃ）参照）に埋設される。
【００２２】
また図５に示すように、支柱２３０ａ〜２３０ｄには、据付架台２１０の上側に配置された固定ナット２５０ａ・２５０ｂ・２５０ｃ・２５０ｄが螺合されている。これらの固定ナット２５０ａ〜２５０ｄと据付架台２１０との間には、上側ストッパ２５２ａ・２５２ｂ・２５２ｃ・２５２ｄがそれぞれ配置されている。
【００２３】
上記説明したように据付ブロック２００を設置することにより、主脚材４０の下部の位置決めを正確且つ容易に行うことができる。したがって、主脚材４０の位置決め時の作業効率を高めることができ、作業員の労力および作業時間を大幅に削減することが可能となる。なお、上記説明した据付ブロック２００は例示に過ぎず、主脚材４０の下部を支持可能であれば他の治具を用いることも当然にして可能である。
【００２４】
図６は、図４に示す治具１００の全体斜視図である。本実施形態の据付方法では、図６に示す治具１００を用いて主脚材４０の上部の位置決めを行う。詳細には、図６に示すように、本実施形態の治具１００は、梁１１０および支持部１２０を含んで構成される。梁１１０は、断面がＬ字状のアングル材によって構成され、型枠３０（図２（ｂ）参照）の上端に渡される。本実施形態では、２つの梁１１０は、それらの間に設けられる第１連結部１３０ａおよび第２連結部１３０ｂによって連結されている。
【００２５】
支持部１２０は、梁１１０の中央部に接続されて主脚材４０に当接する部位である。特に本実施形態では、支持部１２０は、２つのプレート状の部材である第１プレート１２２および第２プレート１２４を含んで構成される。第１プレート１２２は梁１１０に固定されていて、第２プレート１２４は、梁１１０に位置調節可能に固定されている。
【００２６】
また第１プレート１２２および第２プレート１２４の間には隙間が設けられている。この隙間が、主脚材４０が貫通する貫通孔１４０となる。貫通孔１４０は主脚材４０のアングル形状に沿った形状となっていて、貫通孔１４０に主脚材４０を嵌めることによって主脚材４０のねじれを矯正することができる。
【００２７】
なお、本実施形態では支持部１２０が第１プレート１２２および第２プレート１２４からなる２つのプレートによって形成される構成を例示したが、これに限定するものではない。支持部１２０は１つのプレート状の部材によって構成されてもよく、その場合、プレート状の部材に主脚材４０の断面形状の貫通孔を形成すればよい。
【００２８】
本実施形態では、第２プレート１２４は梁１１０の近傍に長孔の調節穴１２６が形成されていて、この調節穴１２６に固定用ボルト１２８が挿通されている。これにより、固定用ボルト１２８を緩めた状態で第２プレート１２４を梁１１０に対してスライドさせて位置調節することが可能となる。
【００２９】
また本実施形態では、治具１００には塔心ポンチマーク１５２および傾斜調整用メモリ１５４が設けられる。塔心ポンチマーク１５２は、鉄塔（全体は不図示）の中心寄りに配置される第１連結部１３０ａに設けられ、主脚材４０の水平方向（回転方向）の位置合わせに用いられる。傾斜調整用メモリ１５４は、第２プレート１２４に所定間隔ごとに刻まれたメモリであり、主脚材４０の傾き（転び）の調整に用いられる。更に本実施形態では、治具１００には、調整ボルト１６２ａ・１６２ｂ・１６２ｃが、第１連結部１３０ａおよび第２連結部１３０ｂを介して梁１１０に固定されている。
【００３０】
主脚材４０の上部に治具１００を取り付ける際には、まず第２プレート１２４を第１プレート１２２から離間させた状態でそれらの隙間である貫通孔１４０に主脚材４０を貫通させる。そして、第２プレート１２４を第１プレート１２２に向かってスライドさせ、第１プレート１２２および第２プレート１２４を主脚材４０に当接させる。この段階では、まだ固定用ボルト１２８は少しゆるめに手締めしておくとよい。主脚材４０の角度が変わると、貫通孔１４０の幅（第１プレート１２２と第２プレート１２４の間隔）が少し変わるからである。
【００３１】
再度、図２を参照する。上述したように治具１００および据付ブロック２００によって主脚材４０を基礎杭１８上に配置したら、主脚材４０の位置調整を行う。主脚材４０の位置調整では、まず図２（ｂ）に示すように、塔心ポンチマーク１５２（図６参照）が所定の位置、すなわち鉄塔の塔心（不図示）を向く位置に配置されるように治具１００を水平方向に回転させる。なお鉄塔の塔心に代えて、対角にある主脚材を塔心ポンチマーク１５２の指標にしてもよい。この作業により塔心ポンチマーク１５２が所定の位置に配置されると主脚材４０の水平方向が調整される。
【００３２】
次に錘５０を用いて主脚材４０の傾きを調整する。詳細には、図２（ｃ）および図４に示すように、まず主脚材４０の上端から錘５０（下げ降り）を吊下する。そして、錘５０の直下に傾斜調整用メモリ１５４の所定のメモリが配置されるように治具１００の位置を前後方向（転び方向。すなわち、梁１１０の軸方向）に移動させる。この作業により傾斜調整用メモリ１５４の所定のメモリが錘５０の直下に配置されると主脚材４０の傾き角（転び）が調整される。主脚材４０の角度がおおむね決まったら、固定用ボルト１２８を固く締めて第２プレート１２４を支持部１２０に固定する。
【００３３】
このとき特に本実施形態では、主脚材４０の傾きの調整では、ポンチマークではなく傾斜調整用メモリ１５４が用いられる。仮にポンチマークを用いるとすると、１つの傾斜角にしか対応できないため、傾斜が異なる主脚材４０ごとに第２プレート１２４を用意する必要がある。これに対し、本実施形態のように複数のメモリが刻まれた傾斜調整用メモリ１５４を用いることにより、使用するメモリを変更することで、傾斜が異なる主脚材４０にも対応することができる。したがって、第２プレート１２４の適用範囲が広がり、治具１００にかかるコストを削減することが可能となる。
【００３４】
また上述したように本実施形態では、治具１００に、調整ボルト１６２ａ〜１６２ｃを設けている。調整ボルト１６２ａ〜１６２ｃで型枠３０を押すことにより、治具１００の前後方向（転び方向）の位置を微調整し、ひいては主脚材４０の傾きを微調整することができる。したがって、主脚材４０の位置決めの精度を高めることが可能となる。
【００３５】
このようにして、貫通孔１４０によって主脚材４０のねじれが矯正され、治具１００の型枠３０に対する回転方向を塔心ポンチマーク１５２で合わせることによって主脚材の水平方向（回転方向）が調整される。そして、支持部１２０の型枠３０に対する前後方向（転び方向）の位置によって主脚材の傾き角（転び角）が調整される。
【００３６】
治具１００により主脚材４０を位置決めしたら、図３（ａ）に示すようにＣ型万力６０によって治具１００を型枠３０に固定する。治具１００を型枠３０に固定したら、図３（ｂ）に示すように定着用コンクリート３２（ハッチングにて図示）を型枠３０内に打設する。そして、Ｃ型万力６０、治具１００および型枠３０を撤去することにより、図３（ｃ）に示すように主脚材４０の定着部７０が形成される。その後、定着部７０の周囲を埋戻し材８０によって埋め戻すことにより、基礎杭１８への主脚材４０の据付作業が完了する。
【００３７】
上記説明したように、本実施形態の主脚材据付方法によれば、主脚材４０は、下部が基礎杭１８に支持され、上部が治具１００によって位置決めされる。このように主脚材４０の上部が位置決めされることにより、かかる上部の位置ずれを好適に防ぐことができる。したがって、転びに起因する主脚材４０の上部の位置ずれが抑制され、基礎杭１８へ主脚材４０を据え付ける際の位置決め精度を更に高めることができる。
【００３８】
図７は、型枠３０への治具１００の固定方法の他の例を説明する図である。図４に示すように、上述した実施形態ではＣ型万力６０を用いて治具１００を型枠３０に固定する構成を例示した。これに対し、図７に示す例では、連結部材３００を用いて治具１００を型枠３０に固定する。
【００３９】
詳細には、連結部材は、連結プレート３１０および接続ボルト３２０を含んで構成される。連結プレート３１０は、治具１００の梁１１０が配置される位置に円弧状の長穴３１２が形成されている。連結プレート３１０が接続ボルト３２０によって型枠３０の上面に接続されることにより、連結部材３００が型枠３０に固定される。一方、治具１００の梁１１０には、梁１１０の長手方向に延びる連結穴１７０、およびかかる連結穴１７０に挿通される連結ボルト１７２が設けられている。
【００４０】
上記構成では、連結穴１７０に挿通された連結ボルト１７２を、型枠３０に固定された連結部材３００の長穴３１２に挿通してナット（不図示）によって締結する。これにより、治具１００が連結部材３００を介して型枠３０に固定される。したがって、図４において例示したＣ型万力６０を用いることなく治具１００を型枠３０に容易に取り付けることが可能となる。
【００４１】
また図７に示すように長穴３１２が円弧状に長いことにより、連結ボルト１７２を長穴３１２内で移動させることで主脚材４０の水平方向（回転方向）を微調整することができる。更に連結穴１７０も梁１１０の長手方向に延びる長穴であることにより、連結ボルト１７２を連結穴１７０内で移動させることで主脚材４０の傾きの微調整を行うことも可能である。
【００４２】
図８は、治具の他の例を説明する図である。以下、図６に示す治具１００と実質的に同一の構成要素については、同一の符号を付すことにより説明を省略する。図６に示す治具１００は、断面がＬ字形状の主脚材４０に対応するよう、支持部１２０の貫通孔１４０も略Ｌ字状となっていた。
【００４３】
これに対し、図８に示す治具４００の支持部４２０は、第２プレート４２４の第１プレート１２２と対向する側の辺が三角形に切り欠かれた形状をしている。これにより、第１プレート１２２および第２プレート４２４によって鋼管からなる主脚材４２を挟持し、支持部において主脚材４２を好適に支持することが可能となる。
【００４４】
なお、上記説明した実施形態では、一般的な基礎杭１８に主脚材４０を据え付ける構成を例示したが、これに限定するものではない。本実施形態の主脚材据付方法および主脚材据付治具は、深礎基礎を基礎杭とする場合にも適用することが可能である。その場合、深礎基礎を形成する際に掘削孔１０の内部に設置するライナープレート（不図示）を型枠３０として用いてもよい。
【００４５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４６】
本発明は、鉄塔の脚部を構成する主脚材を基礎杭に据え付ける主脚材据付方法、およびかかる主脚材を支持する主脚材据付治具として利用することができる。
【符号の説明】
【００４７】
１０…掘削孔、１２…フープ筋、１４…躯体鉄筋、１６…躯体コンクリート、１８…基礎杭、２０…均しコンクリート、３０…型枠、３２…定着用コンクリート、４０・４２…主脚材、５０…錘、６０…Ｃ型万力、７０…定着部、８０…埋戻し材、１００…治具、１１０…梁、１２０…支持部、１２２…第１プレート、１２４…第２プレート、１２６…調節穴、１２８…固定用ボルト、１３０ａ…第１連結部、１３０ｂ…第２連結部、１４０…貫通孔、１５２…塔心ポンチマーク、１５４…傾斜調整用メモリ、１６２ａ・１６２ｂ・１６２ｃ…調整ボルト、１７０…連結穴、１７２…連結ボルト、２００…据付ブロック、２１０…据付架台、２２０ａ・２２０ｂ・２２０ｃ…主脚材固定ボルト、２２２ａ・２２２ｂ・２２２ｃ…固定ボルト保持部、２６０ａ・２６０ｂ・２６０ｃ・２６０ｄ…穴、３００…連結部材、３１０…連結プレート、３１２…長穴、３２０…接続ボルト、４００…治具、４２０…支持部、４２４…第２プレート、４４０…貫通孔
【図１】
2019090266.tif 000003
【図２】
2019090266.tif 000004
【図３】
2019090266.tif 000005
【図４】
2019090266.tif 000006
【図５】
2019090266.tif 000007
【図６】
2019090266.tif 000008
【図７】
2019090266.tif 000009
【図８】
2019090266.tif 000010